(57)【要約】      （修正有）【課題】人にとって有害なスズメ、ハトなどの小鳥類、スズメバチなどのハチ類を効果的に忌避するとともに、取り付け、さらに収納が容易な有害小動物の忌避具を提供する。【解決手段】胴部５と前記胴部先端に連接された顔部６と前記胴部上部に連結した羽根部４とからなる本体２、及び前記本体を所望の設置場所に吊す係止部材３とからなり、前記本体の形状を鳥を模した形状をするとともに、前記本体表面に有害小動物が嫌う色調に彩色されたことを特徴として有害小動物の忌避具を構成する。【選択図】図１
0003157640.tif 000002
【実用新案登録請求の範囲】
【請求項１】
胴部と前記胴部先端に連接された顔部と前記胴部上部に連結した羽根部とからなる本体、及び前記本体を所望の設置場所に吊す係止部材とからなり、
前記本体の形状を鳥を模した形状をするとともに、前記本体表面に有害小動物が嫌う色調に彩色されたことを特徴とする有害小動物の忌避具。
【請求項２】
前記色彩をカラスを模した色彩、又は猛禽類を模した色彩としたことを特徴とする請求項１に記載の有害小動物の忌避具。
【請求項３】
前記胴部と前記羽根部とを着脱可能に連結したことを特徴とする請求項１又は請求項２に記載の有害小動物の忌避具。
【請求項４】
前記羽根部の底面に先端に溝で分割した返し部を備える係止部を設けるとともに、前記胴部に前記係止部を嵌着する孔を穿設し、前記胴部と前記羽根部とを着脱可能に連結したことを特徴とする請求項１〜請求項３の何れか１項に記載の有害小動物の忌避具。
【請求項５】
前記係止部材を、前記羽根部に穿設した２つの孔を挿通し胴部に回した前紐と、前記羽根部を吊す後紐としたことを特徴とする請求項１〜請求項４の何れか１項に記載の有害小動物の忌避具。
【請求項６】
前記前紐及び後紐を、透明の糸としたことを特徴とする請求項５に記載の有害小動物の忌避具。
【請求項７】
前記前紐と前記後紐に固定された棒材を備えることを特徴とする請求項５又は請求項６に記載の有害小動物の忌避具。
【請求項８】
前記胴部と顔部とを雌雄ネジの螺合によって着脱可能に連接したことを特徴とする請求項１〜請求項７の何れか１項に記載の有害小動物の忌避具。
【請求項９】
前記羽根部を、背部と左右翼の３分割とし、前記左右翼は胴部方向には折れ曲がないとともに、前記左右翼が前記背部上方に折れ曲がる折り畳み可能としたことを特徴とする請求項１〜請求項８の何れか１項に記載の有害小動物の忌避具。
【請求項１０】
前記係止部材の固定先が、住宅の雨樋又は軒下であることを特徴とする請求項１〜請求項９の何れか１項に記載の有害小動物の忌避具。
【請求項１１】
前記設置場所に、２本の柱を立設し、前記２本の柱にワイヤ又は棒を渡し、前記ワイヤ又は棒に係止部をスライド可能に係止したことを特徴とする請求項１〜請求項９の何れか１項に記載の有害小動物の忌避具。
【請求項１２】
前記ワイヤ又は棒に、スライド可能な滑車ユニットを通し、前記滑車ユニットに前記係止部材を固定したことを特徴とする請求項１１に記載の有害小動物の忌避具。
【請求項１３】
前記滑車ユニットに、風受けを備えることを特徴とする請求項１２に記載の有害小動物の忌避具。
【請求項１４】
前記有害小動物が、スズメバチであることを特徴とする請求項１〜請求項１３の何れか１項に記載の有害小動物の忌避具。
【考案の詳細な説明】
【技術分野】
【０００１】
本考案は、人にとって有害なスズメ、ハトなどの小鳥類、スズメバチなどのハチ類、タヌキ、鹿、イノシシなど農作物の食害の原因となる小中型の獣類（以下、「有害小動物」という。）を寄せ付けない有害小動物の忌避具に関する。
【背景技術】
【０００２】
農作物を荒らし、住宅、特にベランダ等など糞を排泄するスズメ、ハトなどの小鳥を忌避することが求められている。また、昨今、スズメバチによる被害も増加している。
【０００３】
小鳥の忌避具として、特許文献１には、使用場所で強い光りを乱反射して虫・鳥を確実かつ効率的に長期間防除することができる防虫・防鳥用プレートが公開されている。この防虫・防鳥プレート１０は、「吊り下げ具１１により、田畑、果樹園等の使用箇所に所定高さで回動可能に吊り下げられ、光を反射させて虫・鳥が農作物等の保護対象体に接近することを防ぐものであって、表面及び裏面が高反射率の反射面になった一体のステンレススチールの平板材が折り曲げ線１２を境に折り曲げられている。また、前記プレート１０は、その吊り下げ時における、折り曲げ線１２より上方の部分（上部辺１０ａ）の該折り曲げ線１２より上方端１３ａまでの距離Ｈ1が、該折り曲げ線１２より下方の部分（下部片１０ｂという）の折り曲げ線１２から下方端１３ｂまでの距離Ｈ1より短くされている。」というものである。
【０００４】
また、特許文献２には、小動物に対する忌避効果を持続でき、また、設置と撤去が簡単で、取扱いが便利な小動物の撃退具が公開されている。この小動物の撃退具は、小動物に対する忌避効果のある忌避剤２を塗布した板状体３を、取付器具７により、建物９の桁、梁、柱、屋根などの建物９の一部に設置する。また、圃場などでは、支柱からなる屋外設置物１７に取付可能とする。板状体３には忌避剤２の塗布面を密閉する蓋体４を着脱可能に装着する。忌避剤２はクレオソート油からなる。」というものである。なお、スズメバチについては、形状、色彩に起因する忌避具は知られていない。
【先行技術文献】
【特許文献】
【０００５】
【特許文献１】特開平７−３１３５５号公報
【特許文献２】実登３１２２７３５号公報
【考案の概要】
【考案が解決しようとする課題】
【０００６】
そこで、本考案は、人にとって有害なスズメ、ハトなどの小鳥類、スズメバチなどのハチ類を効果的に忌避するとともに、取り付け、さらに収納が容易な有害小動物の忌避具を提供することを課題とする。
【課題を解決するための手段】
【０００７】
本考案は、上記課題を解決するために、胴部と前記胴部先端に連接された顔部と前記胴部上部に連結した羽根部とからなる本体、及び前記本体を所望の設置場所に吊す係止部材とからなり、前記本体の形状を鳥を模した形状をするとともに、前記本体表面に有害小動物が嫌う色調に彩色されたことを特徴とする有害小動物の忌避具の構成とした。また前記色彩をカラスを模した色彩、又は猛禽類を模した色彩としたことを特徴とする前記記載の有害小動物の忌避具の構成とした。
【０００８】
また、前記胴部と前記羽根部とを着脱可能に連結したことを特徴とする前記何れかに記載の有害小動物の忌避具の構成とした。そして、前記羽根部の底面に先端に溝で分割した返し部を備える係止部を設けるとともに、前記胴部に前記係止部を嵌着する孔を穿設し、前記胴部と前記羽根部とを着脱可能に連結したことを特徴とする前記何れかに記載の有害小動物の忌避具の構成とした。
【０００９】
さらに、前記係止部材を、前記羽根部に穿設した２つの孔を挿通し胴部に回した前紐と、前記羽根部を吊す後紐としたことを特徴とする前記何れかに記載の有害小動物の忌避具の構成とした。前記前紐及び後紐を、透明の糸としたことを特徴とする前記記載の有害小動物の忌避具の構成とした。前記前紐と前記後紐に固定された棒材を備えることを特徴とする前記何れかに記載の有害小動物の忌避具の構成とした。
【００１０】
加えて、前記胴部と顔部とを雌雄ネジの螺合によって着脱可能に連接したことを特徴とする前記何れかに記載の有害小動物の忌避具の構成とした。前記羽根部を、背部と左右翼の３分割とし、前記左右翼は胴部方向には折れ曲がないとともに、前記左右翼が前記背部上方に折れ曲がる折り畳み可能としたことを特徴とする前記何れかに記載の有害小動物の忌避具の構成とした。
【００１１】
前記係止部材の固定先が、住宅の雨樋又は軒下であることを特徴とする前記何れかに記載の有害小動物の忌避具の構成とした。或いは、前記設置場所に、２本の柱を立設し、前記２本の柱にワイヤ又は棒を渡し、前記ワイヤ又は棒に係止部をスライド可能に係止したことを特徴とする前記何れかに記載の有害小動物の忌避具の構成とした。また、前記ワイヤ又は棒に、スライド可能な滑車ユニットを通し、前記滑車ユニットに前記係止部材を固定したことを特徴とする前記記載の有害小動物の忌避具の構成とした。さらに前記滑車ユニットが、風受けを備えることを特徴とする前記記載の有害小動物の忌避具。そして、前記有害小動物が、スズメバチであることを特徴とする前記何れかに記載の有害小動物の忌避具の構成とした。
【考案の効果】
【００１２】
本考案は、上記構成であるので次の効果を発揮する。本考案である有害小動物の忌避具は、有害小動物が嫌う形状、色彩によって、人にとって有害なスズメ、ハトなどの小鳥類、スズメバチなどのハチ類を効果的に忌避することができ、高価な忌避薬剤、或いは高価な素材を使用しないので、安全で長期間忌避効果が持続するので安価である。
【００１３】
また、係止部材で所望の箇所に設置するので、取り付けが容易である。雨樋にも係止可能で、特に住宅のベランダの小鳥の糞害を防ぎ、軒下のハチの巣の造営も防ぐことができる。
【００１４】
さらに、胴部と羽根部を着脱式にしたので、収納、交換が容易である。そして、羽根部を背部と左右翼で屈曲するため、一層収納が容易になるとともに、左右翼が風により上下動するので、一層有害小動物が嫌う鳥のように見えるようになる。さらに、設置場所に立設した２本の柱に渡したワイヤ、棒上をスライドさせることで、一層忌避効果が増す。２本の柱は、自然木であってもよい。柱を立設することで、農作物の耕作地にも動物の忌避具としても使用できる。
【図面の簡単な説明】
【００１５】
【図１】本考案である有害小動物の忌避具の第１の実施形態の平面図である。
【図２】本考案である有害小動物の忌避具の第１の実施形態の底面図である。
【図３】本考案である有害小動物の忌避具の第１の実施形態の右側面図である。
【図４】本考案である有害小動物の忌避具の第１の実施形態の正面図である。
【図５】本考案である有害小動物の忌避具の第２の実施形態の平面図である。
【図６】本考案である有害小動物の忌避具の第２の実施形態の側面図である。
【図７】本考案である有害小動物の忌避具の第２の実施形態の正面図である。
【図８】本考案である有害小動物の忌避具の第３の実施形態の断面図である。
【図９】本考案である有害小動物の忌避具の第４の実施形態の平面図である。
【図１０】本考案である有害小動物の忌避具の第１の使用図である。
【図１１】本考案である有害小動物の忌避具の第２の使用図である。
【図１２】本考案である有害小動物の忌避具の第３の使用図である。
【考案を実施するための形態】
【００１６】
以下に、添付図面に基づいて、本考案である有害小動物の忌避具について詳細に説明する。
【実施例１】
【００１７】
先ず、図１〜図４を参照しながら、本考案である有害小動物の忌避具の第１の実施形態について説明する。
【００１８】
本考案である有害小動物の忌避具１は、本体２と係止部材３からなる。本体２は、全体として鳥の形状を模した形状で、胴部５と胴部５先端に連接された顔部６と胴部５上部に連結した羽根部４とからなる。
【００１９】
羽根部４は、胴部５上に位置する背部４ａ、背部４ａの左右に位置する左右翼４ｂ、４ｃと、背部４ａに連接する尾４ｄとからなる。鳥が翼を開いた形状であればよい。なお、図１では板から切り抜いた一体成形したプレートである。ただし、図１の形状に限定されるものではない。
【００２０】
胴部５は、図１〜４では、円筒形とした。鳥の胴部を申した形状であれば特に限定されない。胴部５上部に羽根部４を着脱可能に連結する。羽根部４と胴部５の連結は着脱可能としてもよい。
【００２１】
顔部６には、鳥の嘴、目を模した形状、色彩の嘴６ａ、目６ｂを備えと、一層鳥のように見え、忌避効果が高まる。顔部６の本体２への接続は、一体成形でも、ネジによる螺合であっても、その手段は限定されない。ネジによる螺合であれば、容易に顔部６を交換でき、種々の鳥の顔部（頭部）の形状を模した顔部６を交換使用しながら、特定の有害小動物の最も嫌う形状、色彩の顔部６を、忌避効果を確認しつつ、選択することができ、便利である。
【００２２】
係止部材３は、本体を所望の設置場所に吊す紐などである。第１の実施形態においては、係止部材３は、羽根部４に穿設した左右の孔４ｅを挿通し、図２に示すように胴部５に回した左右前紐３ａ、３ｂと、羽根部４に固定される１本の後紐３ｃとした。後紐３ｃは、左右紐３ａ、３ｂ同様に、胴部５に回してもよい。
【００２３】
左右前紐３ａ、３ｂ、後紐３ｃを所望の設置箇所に縛り付ければ、容易に本考案を設置することかができる。さらに、左右前紐３ａ、３ｂ及び後紐３ｃを一点に固定すると、風による動きがより一層鳥が翼を広げ滑空していうように見える。
【００２４】
ただし、本考案の係止部材３は、図１〜４に記載の形態に限定されるものではない。前紐３ａ、３ｂ、後紐３ｃは、紐でなくとも、チェーン、鋼線などであってもよい。特に、透明の糸、例えば、釣り糸などが、有害小動物に吊されていることを視認させないようにするために、好適である。
【００２５】
そして、本考案である有害小動物の忌避具１は、本体２の形状を鳥を模した形状をするとともに、本体２表面に有害小動物が嫌う色調に彩色される。鳥の形状としては、カラス、タカ、ワシ、ハヤブサ、トビ、フクロウなどの猛禽類を模して、さらにその彩色をカラス又は猛禽類とするとよい。それと異なり、羽根部４胴部５、顔部６（嘴６ａ、目６ｂを除く）を黒色とし、嘴６ａは黄色、目６ｂは白目、黒目の色彩を付けてもよい。
【実施例２】
【００２６】
次に、図５〜図７を参照しながら、本考案である有害小動物の忌避具の第２の実施形態について説明する。
【００２７】
本考案である有害小動物の忌避具１ａは、実施例１の有害小動物の忌避具１において、羽根部４を鳥が羽ばたくように、屈折可能とした点において異なり、他は同様である。
【００２８】
実施例２においては、羽根部４を、背部４ａと左右翼４ｂ、４ｃの３分割とし、背部４ａと左右翼４ｂ、４ｃとは、左右蝶番７、７ａを介して連結され、左右翼４ｂ、４ｃは胴部５方向には折れ曲がないとともに、図６、図７に示すように、背部４ａ上方に折れ曲がる折り畳み可能になっている。なお、左右翼４ｂ、４ｃは、風を受け、上方に浮き上がるよう顔部６側が上に位置するよう傾斜させること、或いは鳥の翼の形状、飛行機の翼の形状とすることが望ましい。
【実施例３】
【００２９】
次に、図８を参照しながら、本考案である有害小動物の忌避具の第３の実施形態について説明する。
【００３０】
本考案である有害小動物の忌避具１ｂは、実施例１の有害小動物の忌避具１において、羽根部４に設けた係止部４ｆによって、胴部５と羽根部４との連結を着脱可能にした点異なり、他は同様である。なお、羽根部４と胴部の着脱連結手法は、図８に限定されるものではない。
【００３１】
図８における係止部４ｆは、羽根部４の底面に先端に溝４ｇで分割した返し部４ｈを備える。一方、胴部５には係止部４ｆを嵌着する孔５ａを穿設し、羽根部４と胴部５を着脱式とした。胴部５と顔部６とは、ネジ式でネジ部６ｃで螺合する。また、胴部５は、係止部材３への負荷軽減のため、即ち軽量化の観点から内部を空洞５ｂとすることが好ましい。また、風に揺られ易くなり、一層鳥の滑空の様子に似せることができる。
【実施例４】
【００３２】
次に、図９を参照しながら、本考案である有害小動物の忌避具の第４の実施形態について説明する。
【００３３】
本考案である有害小動物の忌避具１ｃは、実施例１の有害小動物の忌避具１において、係止部材３、即ち、左右前紐３ａ、３ｂと後紐３ｃを別個に棒材８に縛り付けた点異なり、他は実施例１と同様である。
【００３４】
これにより、有害小動物の忌避具を固定する場所に突起があれば、棒材８を掛け、有害小動物の忌避具を簡易に設置することができるようになる。
【実施例５】
【００３５】
図１０によって、本考案である有害小動物の忌避具の設置場所を説明する。好適な設置場所は、住宅の雨樋１１、即ち雨樋１１と住宅を連結する金属性などの固定具１１ａ、或いは屋根の下、ベランダ１０の下などの軒１２下で、小鳥の糞害箇所、ハチの巣が造成される箇所などである。
【実施例６】
【００３６】
図１１は、本考案である有害小動物の忌避具の第２の使用図である。先ず、ベランダ１０に柱１３を２本立設し、その柱１３にワイヤ１４を渡す。そして、猛禽類を模して形状、模様に色彩された有害小動物の忌避具１ｄ、或いは剥製である本体２を係止部材３でワイヤ１４にスライド可能に係止する。脚部１６を設けると一層鳥に似せることができる。
【００３７】
このように有害動物の忌避具を設置すると、有害動物の忌避具は、風で前後にスライドし、左右に揺れる。その結果か、有害小動物は、移動、揺れの動き、音で驚く、さらに、動き、音で有害小動物の忌避具１ｄは、本物の捕食者であるかのように振る舞う。よって、より一層、有害小動物は寄りつかなくなる。
【実施例７】
【００３８】
図１２は、本考案である有害小動物の忌避具の第３の使用図である。本考案である有害小動物の忌避具１ｅは、実施例６の有害小動物の忌避具１ｄに、さらに２本の柱１３に渡したワイヤ１４にスライド可能に滑車ユニット１５を通し、滑車ユニット１５に係止部材３を固定してなる。
【００３９】
滑車ユニット１５は、枠体１５ａ内に、ワイヤ１４を挟むように、上下３個（ここでは、上１つ、下２つ）の回転体１５ｂを備える。回転体１５ｂは、枠体１５ａに固定された軸を支点に前後自在に回転し、滑車ユニット１５をスムーズにワイヤ１４上を前後に移動する。さらに、滑車ユニット１５には、移動方向に対面するように風受け１５ｄが左右側面に設けられている。風受け１５ｄの形状、設置位置は特に限定されることなく、滑車ユニット１５が風を受け、前後移動するような形状、位置であればよい。このようになる有害小動物の忌避具１ｄ前後移動、左右揺れに加え、羽根部４に風を受けて、上昇、降下などの動きもする。
【００４０】
その結果、実施例６の有害小動物の忌避具１ｄより、一層スムーズに前後移動することができ、弱い風であっても移動することができる。図６、７で例示した本考案である有害小動物の忌避具は、ベランダ１０、軒１２下に限らず、農作物を耕作している圃場においても大いに有害小動物の忌避効果を発揮する。前後移動、左右揺れ、上昇下降する動きに加え、その動きに伴って音も発するため、小鳥類、ハチ類に限らず、タヌキ、鹿、イノシシなどの小中型の農作物に食害をもたらす獣類などにおいても忌避効果を発揮する。
【産業上の利用可能性】
【００４１】
本考案である有害小動物の忌避具は、取り付けが容易で、収納も簡単であるので、住宅において、小鳥の糞害、ハチの巣の造営を防止することができるので、各家庭での設置が望まれる。さらに、農作地においても極めて有害動物の忌避に極めて有効である。
【符号の説明】
【００４２】
１      有害小動物の忌避具
１ａ    有害小動物の忌避具
１ｂ    有害小動物の忌避具
１ｃ    有害小動物の忌避具
１ｄ    有害小動物の忌避具
１ｅ    有害小動物の忌避具
２      本体
３      係止部材
３ａ    左前紐
３ｂ    右前紐
３ｃ    後紐
４      羽根部
４ａ    背部
４ｂ    左翼
４ｃ    右翼
４ｄ    尾
４ｅ    孔
４ｆ    係止部
４ｇ    溝
４ｈ    返し部
５      胴部
５ａ    孔
５ｂ    空洞
６      顔部
６ａ    嘴
６ｂ    目
６ｃ    ネジ部
７      左蝶番
７ａ    右蝶番
８      棒材
９      住宅
１０    ベランダ
１１    雨樋
１１ａ  固定具
１２    軒
１３    柱
１４    ワイヤ
１５    滑車ユニット
１５ａ  枠体
１５ｂ  回転体
１５ｃ  風受け
１６    脚部
【図１】
0003157640.tif 000003
【図２】
0003157640.tif 000004
【図３】
0003157640.tif 000005
【図４】
0003157640.tif 000006
【図５】
0003157640.tif 000007
【図６】
0003157640.tif 000008
【図７】
0003157640.tif 000009
【図８】
0003157640.tif 000010
【図９】
0003157640.tif 000011
【図１０】
0003157640.tif 000012
【図１１】
0003157640.tif 000013
【図１２】
0003157640.tif 000014